【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
薬剤容器の少なくとも一部を受容するように構成されているハウジングと、
ハブであって、前記ハブは、前記ハウジングに連結され、前記ハブは、通路を画定し、前記通路は、前記通路を通る穿刺部材を受容するように構成されており、前記ハブは、遠位端表面を有し、前記ハブの前記遠位端表面は、物質が前記穿刺部材を通して運搬されるとき、標的組織の標的表面と接触するように構成されている、ハブと、
作動ロッドであって、前記作動ロッドは、前記薬剤容器に連結されるように構成されており、前記作動ロッドおよび前記穿刺部材は、（１）前記穿刺部材の遠位端部分が前記標的組織の第１の領域内に配置されているとき、前記作動ロッドに対する力に応答して、前記作動ロッドの遠位端部分が前記薬剤容器内を移動し、前記ハブの前記遠位端表面から遠位に延在する前記穿刺部材の長さが増大し、（２）前記穿刺部材の前記遠位端部分が前記標的組織の第２の領域内に配置されているとき、前記作動ロッドに対する前記力に応答した前記ハブの前記遠位端表面に対する前記穿刺部材の移動が制限されるように、集合的に構成されており、前記力は、閾値未満の大きさを有する、作動ロッドと
を備える、装置。
【請求項２】
前記作動ロッドおよび前記穿刺部材は、前記穿刺部材の前記遠位端部分が前記標的組織の前記第１の領域内に配置されておりかつ前記ハブの前記遠位端表面が前記標的組織の前記標的表面と接触しているとき、前記作動ロッドに対する前記力に応答して、前記ハブの前記遠位端表面から遠位に延在する前記穿刺部材の前記長さが増大するように、集合的に構成されている、請求項１に記載の装置。
【請求項３】
前記閾値は、約６Ｎである、請求項１に記載の装置。
【請求項４】
前記力は、約０．５Ｎと約２Ｎとの間である、請求項１に記載の装置。
【請求項５】
前記標的組織は、眼であり、前記標的表面は、前記眼の結膜または前記眼の強膜のうちのいずれか１つであり、
前記第１の領域は、前記眼の前記強膜の上部であり、
前記第２の領域は、脈絡膜上腔、前記強膜の下部、前記眼の脈絡膜、前記眼の網膜下腔、または、前記眼の網膜のうちの少なくとも１つを含む、請求項１に記載の装置。
【請求項６】
前記力は、前記穿刺部材の前記遠位端部分が前記標的組織の前記第１の領域内に配置されているとき、前記物質を前記薬剤容器から前記穿刺部材を介して前記標的組織内へ運搬するのに不十分である、請求項１に記載の装置。
【請求項７】
前記物質は、前記穿刺部材の前記遠位端部分が前記標的組織の前記第２の領域内に配置されているとき、前記作動ロッドに対する前記力に応答して、前記穿刺部材を通して運搬される、請求項１に記載の装置。
【請求項８】
前記穿刺部材は、前記穿刺部材が前記標的表面に対して移動させられるときに前記ハブが前記穿刺部材と一緒に移動するように、前記ハブに固定して連結される、請求項１に記載の装置。
【請求項９】
前記穿刺部材の中心線は、前記ハブに接する表面線に実質的に垂直である、請求項１に記載の装置。
【請求項１０】
前記ハブの前記遠位端表面が前記標的表面に接触しており、かつ、前記作動ロッドが前記薬剤容器に連結されている状態で、
前記作動ロッドに対する前記力は、前記穿刺部材の前記遠位端部分が前記標的組織の前記第１の領域内から前記標的組織の前記第２の領域へ移動させられるように、前記ハブの前記遠位端表面から遠位に延在する前記穿刺部材の前記長さを増大させる、請求項１に記載の装置。
【請求項１１】
前記力は、前記穿刺部材の前記遠位端部分が前記第１の領域から前記第２の領域へ移動するとき、前記ハブの前記遠位端表面に対する前記穿刺部材の移動が低減されかつ前記物質が前記標的組織内へ運搬されるように、前記第２の領域の背圧を克服するのに十分である、請求項１に記載の装置。
【請求項１２】
前記物質を含む前記薬剤容器であって、前記物質は、ＶＥＧＦ、ＶＥＧＦ阻害剤、ＰＤＧＦＲ阻害剤、またはこれらの組み合わせのうちの少なくとも１つである、前記薬剤容器
をさらに備える、請求項１に記載の装置。
【請求項１３】
前記ハブの前記遠位端表面は、前記標的表面との実質的な流体密封の封止を画定するように構成されている封止部分を含み、前記封止部分は、前記穿刺部材の中心線に関して対称である、請求項１に記載の装置。
【請求項１４】
前記薬剤容器に動作可能に連結されている圧縮可能部材であって、前記穿刺部材の少なくとも一部は、前記圧縮可能部材によって画定される通路内に配置される、圧縮可能部材
をさらに備える、請求項１に記載の装置。
【請求項１５】
前記圧縮可能部材は、前記ハブの前記遠位端表面から遠位に延在する前記長さが前記力に応答して約１２００μｍを超えて増大できないように構成されており、
前記力は、約０．５Ｎと約２Ｎとの間である、請求項１４に記載の装置。
【請求項１６】
薬剤容器の少なくとも一部を受容するように構成されているハウジングと、
ハブであって、前記ハブは、前記ハウジングに連結され、前記ハブは、通路を画定し、前記通路は、前記通路を通る穿刺部材を受容するように構成されており、前記ハブは、遠位端表面を有し、前記ハブの前記遠位端表面は、標的組織の標的表面と接触するように構成されている、ハブと、
前記薬剤容器に動作可能に連結されている圧縮可能部材と、
作動ロッドであって、前記作動ロッドは、前記薬剤容器に連結されるように構成されており、前記作動ロッド、前記圧縮可能部材、および前記穿刺部材は、（１）前記穿刺部材の遠位端部分が前記標的組織の第１の領域内に配置されているとき、前記作動ロッドに対する力に応答して、前記作動ロッドの遠位端部分が前記薬剤容器内を移動し、前記ハブの前記遠位端表面から遠位に延在する前記穿刺部材の長さが増大し、（２）前記穿刺部材の前記遠位端部分が前記標的組織の第２の領域内に配置されているとき、前記作動ロッドに対する前記力に応答した前記ハブの前記遠位端表面に対する前記穿刺部材の移動が制限されるように、集合的に構成されており、前記力は、閾値未満の大きさを有する、作動ロッドと
を備える、装置。
【請求項１７】
前記作動ロッド、前記圧縮可能部材、および前記穿刺部材は、前記穿刺部材の前記遠位端部分が前記標的組織の前記第１の領域内に配置されておりかつ前記ハブの前記遠位端表面が前記標的組織の前記標的表面と接触しているとき、前記作動ロッドに対する前記力に応答して、前記ハブの前記遠位端表面から遠位に延在する前記穿刺部材の前記長さが増大するように、集合的に構成されている、請求項１６に記載の装置。
【請求項１８】
前記閾値は、約６Ｎである、請求項１６に記載の装置。
【請求項１９】
前記力は、約０．５Ｎと約２Ｎとの間である、請求項１６に記載の装置。
【請求項２０】
前記標的組織は、眼であり、前記標的表面は、前記眼の結膜または前記眼の強膜のうちのいずれか１つであり、
前記第１の領域は、前記眼の前記強膜の上部であり、
前記第２の領域は、脈絡膜上腔、前記強膜の下部、前記眼の脈絡膜、前記眼の網膜下腔、または、前記眼の網膜のうちの少なくとも１つを含む、請求項１６に記載の装置。
【請求項２１】
前記力は、前記穿刺部材の前記遠位端部分が前記標的組織の前記第１の領域内に配置されているとき、前記物質を前記薬剤容器から前記穿刺部材を介して前記標的組織内へ運搬するのに不十分である、請求項１６に記載の装置。
【請求項２２】
前記物質は、前記穿刺部材の前記遠位端部分が前記標的組織の前記第１の領域内に配置されておりかつ前記作動ロッドが前記薬剤容器に連結されているとき、前記作動ロッドに対する前記力に応答して、前記穿刺部材を通して運搬される、請求項１６に記載の装置。
【請求項２３】
前記穿刺部材は、前記穿刺部材が前記標的表面に対して移動させられるときに前記ハブが前記穿刺部材と一緒に移動するように、前記ハブに固定して連結される、請求項１６に記載の装置。
【請求項２４】
前記穿刺部材の中心線は、前記ハブに接する表面線に実質的に垂直である、請求項１６に記載の装置。
【請求項２５】
前記ハブの前記遠位端表面が前記標的表面に接触しており、かつ、前記作動ロッドが前記薬剤容器に連結されている状態で、
前記作動ロッドに対する前記力は、前記穿刺部材の前記遠位端部分が前記標的組織の前記第１の領域内から前記標的組織の前記第２の領域へ移動させられるように、前記ハブの前記遠位端表面から遠位に延在する前記穿刺部材の前記長さを増大させる、請求項１６に記載の装置。
【請求項２６】
前記力は、前記穿刺部材の前記遠位端部分が前記第１の領域から前記第２の領域へ移動するとき、前記ハブの前記遠位端表面に対する前記穿刺部材の移動が低減されかつ前記物質が前記標的組織内へ運搬されるように、前記第２の領域の背圧を克服するのに十分である、請求項１６に記載の装置。
【請求項２７】
前記物質を含む前記薬剤容器であって、前記物質は、ＶＥＧＦ、ＶＥＧＦ阻害剤、ＰＤＧＦＲ阻害剤、またはこれらの組み合わせのうちの少なくとも１つである、前記薬剤容器
をさらに備える、請求項１６に記載の装置。
【請求項２８】
前記ハブの前記遠位端表面は、前記標的表面との実質的な流体密封の封止を画定するように構成されている封止部分を含み、前記封止部分は、前記穿刺部材の中心線に関して対称である、請求項１６に記載の装置。
【請求項２９】
前記穿刺部材の少なくとも一部は、前記圧縮可能部材によって画定される通路内に配置される、請求項１６に記載の装置。
【請求項３０】
前記圧縮可能部材は、前記ハブの前記遠位端表面から遠位に延在する前記長さが前記力に応答して約１２００μｍを超えて増大できないように構成されており、
前記力は、約０．５Ｎと約２Ｎとの間である、請求項１６に記載の装置。